(57)【要約】【課題】目的外の記録を効率的に制限することができる画像記録装置、情報処理装置および画像記録システムを提供すること。【解決手段】ＰＣから送信される印刷データに文字ファイルが存在している場合（Ｓ４０３：Ｙｅｓ）、その文字ファイルに含まれている文字列のうち、特定文字列メモリに記憶されている特定文字列と合致する文字列が存在していれば（Ｓ４０４：Ｙｅｓ）、その合致した文字列を含む頁をの印刷を制限する印刷制限処理を実行する（Ｓ４０６）。よって、特定文字列として目的外使用され易い文字列を記憶させておくことで、目的外の記録を効率的に制限することができる。【選択図】図４
2008141442.tif 000002
【特許請求の範囲】
【請求項１】
記録媒体に画像を記録する記録手段と、
記録データを取得する取得手段と、
特定の文字列を記憶する記憶手段と、
前記取得手段を介して取得した前記記録データに含まれる文字列に、前記記憶手段に記憶された特定の文字列が含まれているかを判断する判断手段と、
その判断手段によって前記特定の文字列が含まれていると判断した場合に、前記記録手段による記録を制限する制限手段とを備えていることを特徴とする画像記録装置。
【請求項２】
前記取得手段は、前記記録データとして、前記記録媒体に記録する画像を示す画像ファイルと、その画像ファイルに含まれる文字列を示す文字ファイルとを取得し、
前記判断手段は、前記文字ファイルに含まれる文字列に、前記特定の文字列が含まれているかを判断し、
前記記録手段は、前記画像ファイルが示す画像を記録媒体に記録することを特徴とする請求項１に記載の画像記録装置。
【請求項３】
前記判断手段が含まれていると判断した文字列を含む頁を、前記画像ファイルから特定する特定手段を備え、
前記制限手段は、前記特定手段により特定された頁について、前記記録手段による記録を中止させることを特徴とする請求項２に記載の画像記録装置。
【請求項４】
前記判断手段が含まれていると判断した文字列を含む頁を、前記画像ファイルから特定する特定手段を備え、
前記記録データは、前記画像の記録条件を示す記録条件ファイルを備え、
前記制限手段は、前記特定手段により特定された頁について、前記記録条件を変更して前記記録手段による記録を実行させることを特徴とする請求項２に記載の画像記録装置。
【請求項５】
記録媒体に画像を記録する記録手段と、
記録データを取得する取得手段と、
特定の文字列である特定文字列を記憶する記憶手段と、
前記取得手段を介して取得した前記記録データに含まれる文字列に、前記記憶手段に記憶された特定文字列が含まれているかを判断する判断手段と、
その判断手段によって前記特定文字列が含まれていると判断した場合に、所定の通知先に通知する通知手段とを備えていることを特徴とする画像記録装置。
【請求項６】
記録媒体に画像を記録する記録手段を備えた画像記録装置に対してデータを供給する情報処理装置において、
記録データを生成する生成手段と、
特定の文字列を記憶する記憶手段と、
前記記録データに含まれる文字列に、前記記憶手段に記憶された特定の文字列が含まれているかを判断する判断手段と、
その判断手段によって前記特定の文字列が含まれていると判断した場合に、前記記録手段による記録を制限させる制限手段とを備えていることを特徴とする情報処理装置。
【請求項７】
前記生成手段は、前記記録データとして、前記記録媒体に記録する画像を示す画像ファイルと、その画像ファイルに含まれる文字列を示す文字ファイルとを生成し、
前記判断手段は、前記文字ファイルに含まれる文字列に、前記特定の文字列が含まれているかを判断し、
前記画像データを前記画像記録装置に供給することを特徴とする請求項６に記載の情報処理装置。
【請求項８】
情報処理装置により生成された記録データに基づいて、画像記録装置が記録媒体に画像を形成する画像記録システムにおいて、
前記情報処理装置により生成された前記記録データを取得する取得手段と、
特定の文字列を記憶する記憶手段と、
前記記録データに含まれる文字列に、前記記憶手段に記憶された特定の文字列が含まれているかを判断する判断手段と、
その判断手段によって前記特定文字列が含まれていると判断した場合に、前記画像記録装置による記録を制限する制限手段とを備えていることを特徴とする画像記録システム。
【発明の詳細な説明】
【技術分野】
【０００１】
本発明は画像記録装置、情報処理装置および画像記録システムに関するものである。
【背景技術】
【０００２】
従来、特許文献１に示されるように、入力された画像データに、特定画像として、紙幣、有価証券類等に含まれる特徴的な図形が含まれているかを判断し、特定画像の存在が判明した場合には、例えば、出力画像データの生成あるいは出力を中止する技術が記載されている。
【特許文献１】特開２００１−３１３８１２号公報（段落第００１０等）
【発明の開示】
【発明が解決しようとする課題】
【０００３】
しかしながら、上述した特許文献１に記載されている技術では、画像データの画像の抽出し、その抽出された画像を示す図形を特定して照合しなければならず、処理に時間がかかる。しかも、一般的にデータ量が多い照合対象となる図形の図形データを予め記憶しておく必要があり、大容量の記憶装置を準備する必要があるという問題点がある。更に、図形の照合を一定の精度で行う場合には時間を要し、高速に記録することができないという問題点がある。
【０００４】
本発明は上述した問題点を解決するためになされたものであり、目的外の記録を効率的に制限することで、消耗品が無駄に消費されることを抑制できる画像記録装置、情報処理装置および画像記録システムを提供することを目的としている。
【課題を解決するための手段】
【０００５】
この目的を達成するために、請求項１記載の画像記録装置は、記録媒体に画像を記録する記録手段と、記録データを取得する取得手段と、特定の文字列を記憶する記憶手段と、前記取得手段を介して取得した前記記録データに含まれる文字列に、前記記憶手段に記憶された特定の文字列が含まれているかを判断する判断手段と、その判断手段によって前記特定の文字列が含まれていると判断した場合に、前記記録手段による記録を制限する制限手段とを備えている。
【０００６】
請求項２記載の画像記録装置は、請求項１に記載の画像記録装置において、前記取得手段は、前記記録データとして、前記記録媒体に記録する画像を示す画像ファイルと、その画像ファイルに含まれる文字列を示す文字ファイルとを取得し、前記判断手段は、前記文字ファイルに含まれる文字列に、前記特定の文字列が含まれているかを判断し、前記記録手段は、前記画像ファイルが示す画像を記録媒体に記録する。
【０００７】
請求項３記載の画像記録装置は、請求項は２に記載の画像記録装置において、前記判断手段が含まれていると判断した文字列を含む頁を、前記画像ファイルから特定する特定手段を備え、前記制限手段は、前記特定手段により特定された頁について、前記記録手段による記録を中止させる。
【０００８】
請求項４記載の画像記録装置は、請求項２に記載の画像記録装置において、前記判断手段が含まれていると判断した文字列を含む頁を、前記画像ファイルから特定する特定手段を備え、前記記録データは、前記画像の記録条件を示す記録条件ファイルを備え、前記制限手段は、前記特定手段により特定された頁について、前記記録条件を変更して前記記録手段による記録を実行させる。
【０００９】
請求項５記載の画像記録装置は、記録媒体に画像を記録する記録手段と、記録データを取得する取得手段と、特定の文字列である特定文字列を記憶する記憶手段と、前記取得手段を介して取得した前記記録データに含まれる文字列に、前記記憶手段に記憶された特定文字列が含まれているかを判断する判断手段と、その判断手段によって前記特定文字列が含まれていると判断した場合に、所定の通知先に通知する通知手段とを備えている。
【００１０】
請求項６記載の情報処理装置は、記録媒体に画像を記録する記録手段を備えた画像記録装置に対してデータを供給するものであって、記録データを生成する生成手段と、特定の文字列を記憶する記憶手段と、前記記録データに含まれる文字列に、前記記憶手段に記憶された特定の文字列が含まれているかを判断する判断手段と、その判断手段によって前記特定の文字列が含まれていると判断した場合に、前記記録手段による記録を制限させる制限手段とを備えている。
【００１１】
請求項７記載の情報処理装置は、請求項６に記載の情報処理装置において、前記生成手段は、前記記録データとして、前記記録媒体に記録する画像を示す画像ファイルと、その画像ファイルに含まれる文字列を示す文字ファイルとを生成し、前記判断手段は、前記文字ファイルに含まれる文字列に、前記特定の文字列が含まれているかを判断し、前記画像データを前記画像記録装置に供給する。
【００１２】
請求項８記載の画像記録システムは、情報処理装置により生成された記録データに基づいて、画像記録装置が記録媒体に画像を形成するものであって、前記情報処理装置により生成された前記記録データを取得する取得手段と、特定の文字列を記憶する記憶手段と、前記記録データに含まれる文字列に、前記記憶手段に記憶された特定の文字列が含まれているかを判断する判断手段と、その判断手段によって前記特定文字列が含まれていると判断した場合に、前記画像記録装置による記録を制限する制限手段とを備えている。
【発明の効果】
【００１３】
請求項１記載の画像記録装置によれば、取得手段を介して取得した記録データに含まれる文字列に、記憶手段に記憶された特定の文字列が含まれていると判断した場合には、記録手段による記録が制限される。よって、記憶手段には図形データと比較してデータ量の少ない特定の文字列を示すデータを記憶しておけば良いので、記憶手段の記憶容量が消費されるのを抑制することができるという効果がある。更に、記録データに特定の文字列が含まれているかを判断する場合と、記録データに特定の図形が含まれているかを判断する場合とでは、前者の方が高速かつ高精度に判断することができるので、目的外の記録を効率的に制限することができるという効果がある。よって、例えば、特定の文字列として、目的外の記録であると予測される文字列をあらかじめ登録しておくだけで、業務用として使用される画像記録装置の私用のための記録を制限し、インクや記録媒体等の消耗品が無駄に消費されるのを効率的に抑制できる。
【００１４】
請求項２記載の画像記録装置によれば、さらに、取得手段は、記録データとして、記録媒体に記録する画像を示す画像ファイルと、その画像ファイルに含まれる文字列を示す文字ファイルとを取得する。記録データに含まれる文字列に、記憶手段に記憶された特定の文字列が含まれているかは、取得手段で取得した記録データのうち、文字ファイルに含まれる文字列に、特定の文字列が含まれているかを判断する。よって、請求項１に記載の画像記録装置の奏する効果に加え、記録データから文字列を抽出する必要がなく、特定の文字列が含まれているかの判断をより高速に行うことができる。つまり、目的外の記録を効率的に制限することができ、例えば、業務用として使用される画像記録装置の私用のための記録を制限し、インクや記録媒体等の消耗品が無駄に消費されるのを効率的に抑制できるという効果がある。
【００１５】
請求項３記載の画像記録装置によれば、さらに、特定の文字列を含む頁が画像ファイルから特定され、その特定した頁について記録手段による記録が中止される。よって、請求項２に記載の画像記録装置の奏する効果に加え、目的外の記録であると判断された頁を特定することで、目的外の記録であると判断された頁についての記録を効率的に制限でき、インクや記録媒体等の消耗品が無駄に消費されるのを抑制することができるという効果がある。
【００１６】
請求項４記載の画像記録装置によれば、さらに、特定の文字列を含む頁が画像ファイルから特定され、その特定した頁については、記録条件が変更されて記録手段による記録が実行される。例えば、その画像ファイルを記録する記録条件として高解像度でカラーでの記録が、記録条件ファイルとして付加されていても、特定の文字列を含む頁については、要求されている解像度よりも低い解像度で、モノクロの記録を実行させる。よって、請求項２に記載の画像記録装置の奏する効果に加え、目的外の記録であると判断された頁についての記録を効率的に制限でき、インクが無駄に消費されるのを抑制することができるという効果がある。
【００１７】
請求項５記載の画像記録装置によれば、取得手段を介して取得した記録データに含まれる文字列に、記憶手段に記憶された特定の文字列が含まれていると判断した場合には、所定の通知先に通知がなされる。所定の通知先として、例えば、画像記録装置の管理者を設定しておくことで、目的外の使用が行われたことを管理者に自動に通知させることができる。よって、管理者は、目的外の記録動作が行ったユーザがその記録を容易に管理でき、その記録動作を行ったユーザに対して注意するなどにより、インクが無駄に消費されるのを抑制することができるという効果がある。
【００１８】
請求項６記載の情報処理装置によれば、生成手段によって生成した記録データに含まれる文字列に、記憶手段に記憶された特定の文字列が含まれていると判断した場合には、記録手段による記録が制限される。よって、特定の文字列として、目的外に使用され易い文字列を予め記憶しておけば、目的外の記録を効率的に制限することができるという効果がある。記憶手段には図形データと比較してデータ量の少ない特定の文字列を示すデータを記憶しておけば良いので、記憶手段の記憶容量が消費されるのを抑制することができるという効果がある。更に、記録データに特定の文字列が含まれているかを判断する場合と、記録データに特定の図形が含まれているかを判断する場合とでは、前者の方が高速かつ高精度に判断することができるので、目的外の記録を効率的に制限することができる。よって、例えば、業務用として使用される画像記録装置の私用のための記録を制限し、インクや記録媒体等の消耗品が無駄に消費されるのを効率的に抑制できるという効果がある。
【００１９】
請求項７記載の情報処理装置によれば、生成手段は、記録データとして、記録媒体に記録する画像を示す画像ファイルと、その画像ファイルに含まれる文字列を示す文字ファイルとを生成する。記録データに含まれる文字列に、記憶手段に記憶された特定の文字列が含まれているかは、生成手段で取得した記録データのうち、文字ファイルに含まれる文字列に、前記特定の文字列が含まれているかを判断する。よって、請求項６に記載の情報処理装置の奏する効果に加え、記録データから文字列を抽出する必要がなく、特定の文字列が含まれているかの判断をより高速に行うことができる。つまり、目的外の記録を効率的に制限することができ、例えば、業務用として使用される画像記録装置の私用のための記録を制限し、インクや記録媒体等の消耗品が無駄に消費されるのを効率的に抑制できるという効果がある。
【００２０】
請求項８記載の画像記録によれば、情報処理装置により生成された記録データを取得手段によって取得し、その取得手段によって取得した記録データに含まれる文字列に、記憶手段に記憶された特定の文字列が含まれていると判断した場合には、記録手段による記録が制限される。よって、特定の文字列として、目的外に使用され易い文字列を予め記憶しておけば良く、目的外の記録を効率的に制限することができるという効果がある。記憶手段には図形データと比較してデータ量の少ない特定の文字列を示すデータを記憶しておけば良いので、記憶手段の記憶容量が消費されるのを抑制することができるという効果がある。更に、記録データに特定の文字列が含まれているかを判断する場合と、記録データに特定の図形が含まれているかを判断する場合とでは、前者の方が高速かつ高精度に判断することができるので、目的外の記録を効率的に制限することができる。よって、例えば、業務用として使用される画像記録装置の私用のための記録を制限し、インクや記録媒体等の消耗品が無駄に消費されるのを効率的に抑制できるという効果がある。
【発明を実施するための最良の形態】
【００２１】
以下、本発明の好ましい実施の形態について、添付図面を参照して説明する。図１は、本発明の画像記録装置としての複合機１と、本発明の情報処理処理としてのパーソナルコンピュータ３５（以下単に「ＰＣ３５」と称す）との外観構成を示す斜視図である。なお、本発明の画像記録システムとしては、この複合機１とＰＣ３５とを備えた画像記録システム１００が該当する。尚、実施の形態は本発明を具体化した一例にすぎず、本発明の要旨を変更しない範囲で、実施の形態を適宜変更できることは言うまでもない。
【００２２】
複合機１は、下部に設けられたプリンタ２と、上部に設けられたスキャナ３と、スキャナ３の正面側に設けられた操作パネル４とを一体的に備えたＭＦＤ（Ｍｕｌｔｉ  Ｆｕｎｃｔｉｏｎ  Ｄｅｖｉｃｅ）であり、スキャナ機能、コピー機能、ファクシミリ機能を実現する。
【００２３】
また、複合機１は、ＰＣ３５から送信された印刷データに従って記録媒体に画像を記録したり、デジタルカメラ等の外部装置と接続されて外部装置から受け取ったデータを記録用紙に記録したり、メモリカード等の各種記憶媒体を装填したりして、該記憶媒体に記憶されたデータ等を受け取り、記録用紙に記録するメディア機能を実現する。
【００２４】
さらに、複合機１は、各種機能の実行により複合機１が取得したデータを、複合機１に接続された外部機器に送信することで、記憶手段を持った外部機器にデータを記憶させる機能や、外部機器にデータの加工、表示、送信、印刷などの処理を行なわせる機能を実現するものであってもよい。なお、本発明を適用するうえで、上記した全ての機能が複合機１に備えられている必要はない。
【００２５】
スキャナ３は、ＦＢＳ（Ｆｌａｔｂｅｄ  Ｓｃａｎｎｅｒ）として機能する原稿読取台６に対して、自動原稿搬送機構（ＡＤＦ：Ａｕｔｏ  Ｄｏｃｕｍｅｎｔ  Ｆｅｅｄｅｒ、以下「ＡＤＦ」という。）７を備えた原稿カバー８が、取り付けられてなる。原稿読取台６の上面にはプラテンガラスが配設されており、原稿読取台６の内部には、図示しない画像読取ユニットが内蔵されている。このように構成されたスキャナ３では、ＦＢＳあるいはＡＤＦを用いて原稿の画像読取りが行われる。
【００２６】
プリンタ２は、スキャナ３で読み取られた読取りデータ或いは外部から入力された印刷データに基づいて、選択的にインク滴を吐出することによって、記録媒体に画像を記録する所謂インクジェット方式のインクジェット記録装置である。インクジェット方式はプリンタ２による画像記録方式の単なる一例であり、電子写真方式や熱転写方式などの種々の画像記録方式を採用することができるのはもちろんである。
【００２７】
複合機１の正面側、換言すれば、プリンタ２の正面側には開口５が形成されている。この開口５内に給紙トレイ１４及び排紙トレイ１５が完全に内包されるように設けられている。
【００２８】
複合機１の正面側には、操作パネル４が設けられている。操作パネル４は、プリンタ２やスキャナ３を操作するためのものであり、各種操作キー４０と液晶ディスプレイ（ＬＣＤ：Ｌｉｑｕｉｄ  Ｃｒｙｓｔａｌ  Ｄｉｓｐｌａｙ）４１とを具備する。ユーザは、操作パネル４を用いて、所望の指令を入力することができる。複合機１に所定の指令が入力されると、その入力された情報に基づいて該複合機１の動作が制御部２０（図２参照）によって制御される。
【００２９】
なお、複合機１は、操作パネル４から入力された指令のほか、ＰＣ３５からプリンタドライバやスキャナドライバ等を介して送信される指令に基づいて動作するようにシステム構成されている。
【００３０】
プリンタ２の上記開口５の上側には、接続パネル７０が設けられている。この接続パネル７０には、その左端側にＵＳＢ端子７１が配設されている。ＵＳＢ端子７１は、外部機器とＵＳＢ接続することにより該外部機器と本複合機１とを通信可能に接続するコネクタ端子である。
【００３１】
また、接続パネル７０の右端側にはスロット部７２が配設されている。スロット部７２はメモリカード（カード型メモリ）を装填可能な複数のカードスロットが設けられている。カードスロットにメモリカードが装填され、該装填されたメモリカードからデータが後述の制御部２０により読み出されると、その読み出されたデータが示す情報が制御部２０（図２参照）によってＬＣＤ４１に表示される。或いは、選択された任意の画像がプリンタ２において記録媒体に印刷される。
【００３２】
一方、ＰＣ３５は、複合機１を制御する装置であり、キーボード４２と、液晶ディスプレイ４３とを備え、図示しないネットワークを介して複合機１と通信可能に構成されている。
【００３３】
図２は、複合機１とＰＣ３５との電気的構成を示すブロック図である。複合機１の動作を制御する制御部２０は、プリンタ２、スキャナ３及び操作パネル４を含む複合機１の動作を統括的に制御するものである。制御部２０は、ＣＰＵ（Ｃｅｎｔｒａｌ  Ｐｒｏｃｅｓｓｉｎｇ  Ｕｎｉｔ）２１、ＲＯＭ（Ｒｅａｄ  Ｏｎｌｙ  Ｍｅｍｏｒｙ）２２、ＲＡＭ（Ｒａｎｄｏｍ  Ａｃｃｅｓｓ  Ｍｅｍｏｒｙ）２３、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）２４を主とするマイクロコンピュータとして構成されており、バス２５を介してＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）２６に接続されている。
【００３４】
ＣＰＵ２１は、この複合機１を総括的に制御する中央演算処理であり、図３および図４のフローチャートで示す処理を実行するプログラムなどの各種プログラムを実行する。ＲＯＭ２２には、複合機１の各種動作を制御するためのプログラム等が格納されており、図４のフローチャートに示す印刷処理を実行する印刷プログラム２２ａが格納されている。この印刷プログラム２２ａによってＰＣ３５から送信される印刷データに従った画像がプリンタ２によって記録媒体に印刷される。ＲＡＭ２３は、ＣＰＵ２１が上記プログラムを実行する際に用いる各種データを一時的に記録する記憶領域又は作業領域として使用される。
【００３５】
ＥＥＰＲＯＭ２４は、特定文字列メモリ２４ａと、履歴メモリ２４ｂと、管理者情報メモリ２４ｃとを備えている。特定文字列メモリ２４ａには、複合機１の管理者がプリンタ２による印刷を制限したい特定の文字列を示すデータが記憶されている。ＰＣ３５から送信される印刷データに、この特定文字列メモリ２４ａに記憶されている特定の文字列と一致する文字列が含まれている場合には、その印刷データに基づく印刷が制限されることになる。
【００３６】
履歴メモリ２４ｂには、上述したように、印刷が制限された場合に、その制限された印刷データが記憶されている。管理者情報メモリ２４ｃには、複合機１を管理する管理者の情報、例えば、電子メールアドレス、ＦＡＸ番号等が記憶されている。上述したように、印刷が制限された場合には、この管理者情報メモリ２４ｃに記憶されている宛先に、印刷が制限された旨が通知される。
【００３７】
ＡＳＩＣ２６は、ＣＰＵ２１からの指令に従い、プリンタ２、スキャナ３、操作パネル４、及びスロット部７２の動作制御を行なう（例えば、プリンタ２を駆動するモータやインクジェット記録ヘッド、スキャナ３のＡＤＦ７を駆動するモータや画像読取ユニット等の動作を制御する）。プリンタ２、スキャナ３及びスロット部７２は、公知の構成であるので詳細な説明は省略する。
【００３８】
ＡＳＩＣ２６には、複合機１に所望の指令を入力する操作キー４０を制御するパネルゲートアレイ２７（パネルＧＡ２７）、ＬＣＤ４１の画面表示を制御するＬＣＤコントローラ２８、図示しないネットワーク上に存在する装置（例えば、ＰＣ３５）とデータの送受信を行なうネットワークインターフェース２９（ネットワークＩ／Ｆ２９）、ＵＳＢ端子７１、アンプ７を介してスピーカ７４が接続されている。さらに、ＡＳＩＣ２６には、ファクシミリ機能を実現するためのＮＣＵ（Ｎｅｔｗｏｒｋ  Ｃｏｎｔｒｏｌ  Ｕｎｉｔ）３１やモデム３２（ＭＯＤＥＭ３２）が接続されている。
【００３９】
一方、ＰＣ３５は、ＣＰＵ３６、ＲＯＭ３７、ＲＡＭ３８、ハードディスク３９、入出力ポート４４、ネットワークＩ／Ｆ３３、ＵＳＢ端子４６、ＣＤドライブ４７を備えている。ＣＰＵ３６はＲＯＭ３７に記憶される固定値やプログラム或いはネットワークＩ／Ｆ２９やＵＳＢ端子４６を介して送受信される各種信号に基づいて、バスライン４５により接続される各部を制御するものである。ＲＯＭ３７は、ＰＣ３５で実行される制御プログラム等を格納した書き換え不能なメモリである。
【００４０】
ハードディスク３９は書き換え可能な不揮発性のメモリであり、ＯＳ（Operation System）３９ａ、アプリケーション３９ｂ、印刷データ作成送信プログラム３９ｃが格納されている。ＯＳ３９ａは、基本ソフトウェアである。アプリケーション３９ｂは、種々の文字、図形、記号等を作成するソフトウェアである。印刷データ作成送信プログラム３９ｃは、図３に示す印刷データ作成送信処理を実行させるためのプログラムである。アプリケーション３９ｂで作成された画像データは、この印刷データ作成送信プログラム３９ｃに従って、複合機１によって印刷可能な形式の印刷データに生成され、送信される。
【００４１】
尚、上述したＣＰＵ３６、ＲＯＭ３７、ＲＡＭ３８はバスライン４５を介して互いに接続されており、そのバスライン４５は入出力ポート４４に接続されている。この入出力ポート４１には、バスライン４５の他にハードディスク３９、キーボード４２、ＬＣＤ４３、ＵＳＢ端子４６、ネットワークＩ／Ｆ４６が接続されている。
【００４２】
次に、図３のフローチャートを参照して、ＰＣ３５のＣＰＵ３６で実行される印刷データ生成送信処理について説明する。図３は、印刷データ生成送信処理のフローチャートである。この印刷データ生成送信処理は、ユーザがアプリケーション３９ｂを使って作成した画像を複合機１のプリンタ２によって記録媒体に印刷させるための印刷データを生成し、その印刷データを複合機１に送信する処理であり、ユーザからアプリケーション３９ｂを介して印刷指令があった場合に実行される。
【００４３】
この処理では、アプリケーション３９ｂを使って作成した画像（記録媒体に印刷される画像）を示す画像データに文字列（テキストデータ）が含まれているかを判断する（Ｓ３０１）。文字列が含まれていれば（Ｓ３０１：Ｙｅｓ）、画像データに含まれている全ての文字列を抽出し、文字ファイルを作成する（Ｓ３０２）。
【００４４】
次に、画像データを複合機１によって処理可能な印刷形式に変換し（Ｓ３０３）、その印刷形式に変換された画像ファイルに、Ｓ３０２で作成した文字ファイルおよびその画像データを印刷するための条件（解像度や印刷濃度、カラー／モノクロ設定など）が記載された記録条件ファイルを付加させたものを、印刷データとして作成し（Ｓ３０４）、その作成した印刷データを複合機１に送信する（Ｓ３０５）。
【００４５】
例えば、図１３（ａ）に示すような画像データを印刷する場合には、画像データに文字列を含んでいるため、文字ファイルを作成する。この文字ファイルは、図１３（ｂ）に示すように、その画像データを画像ファイルに変換した際にその文字列が含まれるページが把握できるように、文字群をページごとに区分して作成される。
【００４６】
尚、Ｓ３０１の処理において、文字列が含まれていなければ（Ｓ３０１：Ｎｏ）、画像データを複合機１によって処理可能な印刷形式に変換し、その印刷形式に変換された画像ファイルに記録条件ファイルを付加させたものを、印刷データとして作成する（Ｓ３０６）。そして、Ｓ３０５の処理に移行し、作成した印刷データを複合機１に送信する（Ｓ３０５）。
【００４７】
次に、図４のフローチャートを参照して、複合機１のＣＰＵ２１で実行される印刷処理について説明する。印刷処理は、ＰＣ３５から印刷データが送信された場合に、その送信された印刷データに従って画像を記録媒体に印刷する処理である。
【００４８】
この処理では、ＰＣ３５から送信される印刷データを取得し（Ｓ４０１）、その印刷データの中に文字ファイルが存在するかを判断する（Ｓ４０２）。文字ファイルが存在していれば（Ｓ４０２：Ｙｅｓ）、特定文字列メモリ２４ａに記憶されている特定文字列を読み出し、その読み出した特定文字列と文字ファイルに含まれている文字列とを照合する（Ｓ４０３）。特定文字列と照合される文字列は、文字ファイルに含まれている文字列と比較するので、印刷データから文字列を抽出する必要がなく、特定の文字列との照合を高速に行うことができる。
【００４９】
そして、照合の結果、文字ファイルに含まれている文字列に特定文字列と合致する文字列が存在していれば（Ｓ４０４：Ｙｅｓ）、その合致した文字列を含む頁を印刷データに含まれている画像ファイルから特定し（Ｓ４０５）、印刷制限処理を実行する（Ｓ４０６）。
【００５０】
例えば、特定文字列メモリ２４ａとして図１３（ｃ）に示すような特定文字列が記憶されている場合には、特定文字列ごとに、その文字列が、図１３（ｂ）に示す文字ファイルに存在するかを判断する。この場合、「鍋」が文字ファイルの１頁目に存在するので、印刷制限処理が実行される。
【００５１】
印刷制限処理では、Ｓ４０５によって特定された頁の印刷を中止したり、記録条件ファイルにてＳ４０５によって特定された頁に割り当てられている印刷条件を、予め規定されている別の印刷条件に変更して印刷を実行する。例えば、印刷条件としての解像度や濃度が最も低いレベルになるようしたり、必ずモノクロ印刷になるように変更して印刷する。即ち、印刷データ通りの画像は記録媒体には印刷されず、印刷が制限される。
【００５２】
複合機１が業務用として設置されており、私用目的の印刷を抑制したい場合、特定文字列メモリ２４ａに、私用目的で使用され易い文字列を予め記憶しておくことで、ＰＣ３５から要求された印刷データに特定文字列メモリ２４ａに記憶された特定の文字列と合致する文字列が存在すれば、印刷データ通りの画像は記録媒体には印刷されず、印刷が制限される。よって、私用目的の印刷を制限することができ、これにより、無駄に、記録媒体やインクが消費されるのを抑制することができる。
【００５３】
また、特定文字列メモリ２４ａには、図形データと比較してデータ量の少ない特定の文字列を示すデータを記憶しておけば良いので、特定文字列メモリ２４ａの記憶容量を効率的に使用することができる。更に、Ｓ４０４の処理における印刷データに特定の文字列が含まれているかの判断は、印刷データに特定の図形が含まれているかを判断する場合に比べ、高速かつ高精度に判断することができるので、私用目的の印刷を効率的に制限することができる。
【００５４】
こうして、印刷制限処理を行った場合には、印刷データを履歴メモリ２４ｂに記憶し（Ｓ４０７）、更に、複合機１の管理者に印刷制限処理が実行された旨を通知し（Ｓ４０８）、本処理を終了する。
【００５５】
尚、このＳ４０７、Ｓ４０８の処理により、管理者は、複合機１の目的外使用の頻度や、その内容を確認することができる。また、管理者への通知は、例えば、電子メールやＦＡＸを利用して、管理者情報メモリ２４ｃに記憶されている電子メールアドレスやＦＡＸ番号等の宛先に、印刷制限が実行された旨を通知することができる。
【００５６】
一方、Ｓ４０２の処理において、ＰＣ３５から取得した印刷データに文字ファイルが存在しない場合（Ｓ４０２：Ｎｏ）、および、Ｓ４０４の処理において文字ファイルに含まれる文字列に特定文字列と合致する文字列が存在しない場合には（Ｓ４０４：Ｎｏ）、従来と同様に取得した印刷データの記録条件ファイルの印刷条件に従って、画像ファイルの画像を記録媒体に印刷する印刷処理を実行し（Ｓ４０９）、本処理を終了する。
【００５７】
次に、図５および図６を参照して、本発明の第２の実施形態について説明する。上述した第１の実施形態では、文字ファイルに特定の文字列と合致する文字列が含まれているかの判断処理と、印刷制限処理とを複合機１で実行する場合について説明した。この第２の実施形態は、かかる処理をＰＣ３５で実行するものである。
【００５８】
図５は、第２の実施形態に関する複合機１とＰＣ３５との電気的構成を示すブロック図である。尚、図５は、図２に相当する図であり、第１の実施形態と同一の構成については、同一の符号を付し、その説明は省略する。
【００５９】
複合機１のＲＯＭ２２には、印刷プログラム２２ｂが格納されている。この印刷プログラム２２ｂは、図６のフローチャートに示す印刷データ生成送信処理によってＰＣ３５から送信される印刷データに従った画像をプリンタ２によって記録媒体に印刷させるプログラムである。
【００６０】
ＰＣ３５のハードディスク３９には、印刷データ作成送信プログラム３９ｄと、特定文字列メモリ３９ｅと、履歴メモリ３９ｆと、管理者情報メモリ３９ｇとが備えられている。印刷データ作成送信プログラム３９ｄは、図６に示す印刷データ作成送信プログラムを実行させるプログラムである。尚、特定文字列メモリ３９ｅと、履歴メモリ３９ｆと、管理者情報メモリ３９ｇとに記憶されているデータは、第１の実施形態と同様なので、その説明は省略する。
【００６１】
次に、図６のフローチャートを参照して、ＰＣ３５のＣＰＵ３６で実行される印刷データ生成送信処理について説明する。図６は、印刷データ生成送信処理のフローチャートである。この印刷データ生成送信処理は、第１の実施形態で説明したのと同様に、ユーザがアプリケーション３９ｂを使って作成した画像を複合機１を使って記録媒体に印刷させるための印刷データを生成し、その印刷データを複合機１に送信する処理であり、ユーザからアプリケーション３９ｂを介して印刷指令があった場合に実行される。
【００６２】
この処理では、アプリケーション３９ｂを使って作成した画像（記録媒体に印刷される画像）を示す画像データに文字列（テキストデータ）が含まれているかを判断する（Ｓ６０１）。文字列が含まれていれば（Ｓ６０１：Ｙｅｓ）、画像データに含まれている全ての文字列を抽出し、文字ファイルを作成する（Ｓ６０２）。
【００６３】
そして、特定文字列メモリ３９ｅに記憶されている特定文字列を読み出し、その読み出した特定文字列と文字ファイルに含まれている文字列とを照合する（Ｓ６０３）。照合の結果、文字ファイルに含まれている文字列に特定文字列と合致する文字列が存在していれば（Ｓ６０４：Ｙｅｓ）、その合致した文字列を含む頁を特定し（Ｓ６０５）、印刷制限処理を実行する（Ｓ６０６）。
【００６４】
この印刷制限処理は（Ｓ６０６）、画像データを複合機１によって読み取り可能な形式に変換した画像ファイルに、その画像ファイルの印刷条件である記録条件ファイルを付加した印刷データを作成する処理であるが、特定文字列を含む頁に関しては、印刷条件を変更するなどの制限が加えられた印刷データを作成する処理である。
【００６５】
例えば、記録条件ファイルにＳ６０５によって特定された頁の印刷を中止する内容を記述した印刷データを作成したり、記録条件ファイルの印刷条件として、Ｓ６０５によって特定された頁に割り当てられている印刷条件は予め規定されている別の印刷条件に変更して印刷データを作成する。具体的には、あらかじめ既定されている別の印刷条件として、解像度や濃度が最も低いレベルにしたり、必ずモノクロ印刷になるように変更した印刷データを作成する。
【００６６】
また、Ｓ６０５によって特定された頁の印刷を中止する場合は、新たにその印刷を中止する頁を除いた画像ファイルを印刷データとして作成してもよい。
【００６７】
この印刷制御処理によって作成された印刷データは、複合機１に送信され、複合機１は、この印刷データに含まれる記録条件ファイルに従って印刷を実行するので、結果的に、第１の実施形態と同様に印刷を制限することができる。
【００６８】
印刷制限処理後は（Ｓ６０６）、印刷データを履歴メモリ３９ｆに記憶し（Ｓ６０７）、管理者に印刷制限処理が実行された旨を通知する（Ｓ６０８）。そして、Ｓ６０６の印刷制限処理において作成された印刷データを複合機１に送信して（Ｓ６０９）、本処理を終了する。
【００６９】
一方、Ｓ６０４の処理において文字ファイルに含まれる文字列に特定文字列と合致する文字列が存在しない場合には（Ｓ６０４：Ｎｏ）、Ｓ６０２で作成した文字ファイルを削除し（Ｓ６１０）、画像データを複合機１によって読み取り可能な形式に変換した画像ファイルに記録条件を付加した印刷データを作成し（Ｓ６１１）、Ｓ６０９の処理に移行する。また、Ｓ６０１の処理において、画像ファイルに文字列が含まれていない場合には、Ｓ６１１の処理に移行する。
【００７０】
この第２の実施形態によれば、第１の実施形態と同様な効果を奏することができる上、一連の処理をＰＣ３５だけで実行させることができるので、画像記録システム１００における複合機１の処理負担を軽減することができると共に、プログラムの汎用性を向上させることができる。
【００７１】
次に、図７〜図１０を参照して、本発明の第３の実施形態について説明する。第１の実施形態では、特定文字列メモリ２４ａを備えた複合機１が、第２の実施形態では、特定文字列メモリ３９ｅを備えたＰＣ３５が、文字ファイルに特定文字列と合致する文字列が含まれているかを判断する判断処理を実行する場合について説明した。この第３の実施形態は、かかる処理をサーバ５０が実行するものである。
【００７２】
図７は、第３の実施形態に関する複合機１と、ＰＣ３５と、サーバ５０との外観構成を示す斜視図である。上述した第１，２の実施形態では、複合機１とＰＣ３５とを備えた画像記録システム１００について説明したが、この第３の実施形態では、複合機１と、ＰＣ３５と、サーバ５０とを備えた画像記録システム１０１について説明する。尚、上述した第１，２の実施形態と同一の構成については、同一の符号を付し、その説明は省略する。
【００７３】
画像記録システム１０１におけるサーバ５０は、主にデータベースとして機能する装置であり、図示しないネットワークを介して複合機１とＰＣ３５と通信可能に構成されている。
【００７４】
図８は、第３の実施形態に関する複合機１とＰＣ３５とサーバ５０との電気的構成を示すブロック図である。尚、図８は、図２に相当する図であり、第１の実施形態と同一の構成については、同一の符号を付し、その説明は省略する。
【００７５】
複合機１のＲＯＭ２２には、印刷プログラム２２ｃが格納されている。この印刷プログラム２２ｃは、図９のフローチャートに示す印刷処理を実行するためのプログラムである。
【００７６】
サーバ５０は、ＣＰＵ５１、ＲＯＭ５２、ＲＡＭ５３、ハードディスク５４、入出力ポート５５、ネットワークＩ／Ｆ５６、ＵＳＢ端子５７を備えている。ＣＰＵ５１はＲＯＭ５２に記憶される固定値やプログラム或いはネットワークＩ／Ｆ５６やＵＳＢ端子５７を介して送受信される各種信号に基づいて、バスライン５８により接続される各部を制御するものである。ＲＯＭ５２は、サーバ５０で実行される制御プログラム等を格納した書き換え不能なメモリである。
【００７７】
ハードディスク５４は書き換え可能な不揮発性のメモリであり、特定文字列判定プログラム５４ａと、特定文字列メモリ５４ｂとを備えている。特定文字列判定プログラム５４ａは、図１０に示す特定文字列判定処理を実行させるためのプログラムであり、特定文字列メモリ５４ｂに記憶されている特定の文字列に合致する文字列がＰＣ３５で作成される文字ファイルに含まれているかの判定を行う。
【００７８】
尚、上述したＣＰＵ５１、ＲＯＭ５２、ＲＡＭ５３はバスライン５８を介して互いに接続されており、そのバスライン５８は入出力ポート５５に接続されている。この入出力ポート５５には、バスライン５８の他にハードディスク５４、ＵＳＢ端子５７、ネットワークＩ／Ｆ５６が接続されている。
【００７９】
次に、図９のフローチャートを参照して、第３の実施形態における複合機１のＣＰＵ２１で実行される印刷処理について説明する。この印刷処理は、ＰＣ３５から印刷データが送信された場合に、その送信された印刷データに従って画像を記録媒体に印刷する処理である。尚、ＰＣ３５において印刷データを作成、送信する印刷データ作成送信処理については、図３のフローチャートに示す印刷データ作成送信処理と同様であるため、その説明は省略する。
【００８０】
この処理では、ＰＣ３５から送信される印刷データを取得し（Ｓ９０１）、その印刷データの中に文字ファイルが存在するかを判断する（Ｓ９０２）。文字ファイルが存在していれば（Ｓ９０２：Ｙｅｓ）、その文字ファイルをサーバ５０に送信する（Ｓ９０３）。
【００８１】
尚、サーバ５０は、複合機１から文字ファイルを取得すると、図１０に示す特定文字列判定処理を実行し、その文字ファイルに特定の文字列が含まれるかを照合し、その照合結果と、一致した文字列とを、複合機１に送信する。
【００８２】
よって、複合機１では、サーバ５０から送信される照合結果を受信するまで待機し（Ｓ９０４：Ｎｏ）、サーバ５０から照合結果を受信した場合には（Ｓ９０４：Ｙｅｓ）、その照合結果が一致か否かを判断する（Ｓ９０５）。そして、照合結果が一致している、即ち、文字ファイルに特定の文字列が含まれていることを示す場合には（Ｓ９０５：Ｙｅｓ）、その一致した文字列を含む頁を印刷データに含まれている画像ファイルから特定し（Ｓ９０６）、図４のＳ４０６で説明した印刷制限処理と同様の印刷制限処理を実行する（Ｓ９０７）。
【００８３】
そして、印刷制限処理を行った場合には、印刷データを履歴メモリ２４ｂに記憶し（Ｓ９０８）、更に、複合機１の管理者に印刷制限処理が実行された旨を通知し（Ｓ９０９）、本処理を終了する。
【００８４】
一方、Ｓ９０２の処理において、ＰＣ３５から取得した印刷データに文字ファイルが存在しない場合（Ｓ９０２：Ｎｏ）、および、Ｓ９０５の処理において文字ファイルに含まれる文字列に特定文字列と合致する文字列が存在しない場合には（Ｓ９０５：Ｎｏ）、従来と同様に取得した印刷データに従って印刷処理を実行し（Ｓ９１０）、本処理を終了する。
【００８５】
次に、図１０のフローチャートを参照して、第３の実施形態におけるサーバ５０のＣＰＵ５１で実行される特定文字列判定処理について説明する。特定文字列判定処理は、図９のＳ９０３で説明した処理において、複合機１から送信される文字ファイルを取得し、その文字ファイルに特定文字列メモリ５４ｂに記憶されている特定の文字列が含まれているかを判断し、その判断結果を複合機１に送信する処理である。
【００８６】
この処理では、まず、複合機１から送信される文字ファイル１を取得する（Ｓ１００１）。そして、特定文字列メモリ５４ｂに記憶されている特定文字列を読み出し、その読み出した特定文字列と文字ファイルに含まれている文字列とを照合する（Ｓ１００２）。照合の結果、文字ファイルに含まれている文字列に特定文字列と合致する文字列が存在していれば（Ｓ１００３：Ｙｅｓ）、合致していることを示す照合結果と、一致している文字列とを複合機１に送信し（Ｓ１００４）、本処理を終了する。
【００８７】
一方、Ｓ１００３の判断において、文字ファイルに含まれている文字列に特定文字列と合致する文字列が存在しないと判断した場合には（Ｓ１００３：Ｎｏ）、不一致であることを示す照合結果を複合機１に送信し、本処理を終了する。
【００８８】
この第３の実施形態によれば、上述した第１の実施形態と同様な効果を奏することができる上、サーバ５０の特定文字列メモリ５４ｂに特定文字列を記憶させると共に、サーバ５０において、文字ファイルに含まれる文字列に特定文字列と合致する文字列が含まれているかを判断しているので、複合機１と、ＰＣ３５とのメモリ容量を有効に使用することができると共に、複合機１と、ＰＣ３５との処理負担を軽減することができる。
【００８９】
次に、図１１および図１２を参照して、本発明の第４の実施形態について説明する。この第４の実施形態は、第３の実施形態と同様に、画像記録システム１０１によって実行されるものであり、上述した第３の実施形態では、印刷制限処理を複合機１で実行する場合について説明したが、この第４の実施形態は、かかる処理をＰＣ３５で実行するものである。
【００９０】
図１１は、第４の実施形態に関する複合機１とＰＣ３５とサーバ５０との電気的構成を示すブロック図である。尚、図１１は、図８に相当する図であり、第３の実施形態と同一の構成については、同一の符号を付し、その説明は省略する。
【００９１】
複合機１のＲＯＭ２２には、印刷プログラム２２ｂが格納されている。この印刷プログラム２２ｂは、図１２のフローチャートに示す印刷データ生成送信処理によってＰＣ３５から送信される印刷データに従った画像をプリンタ２によって記録媒体に印刷させるプログラムである。
【００９２】
ＰＣ３５のハードディスク３９には、印刷データ作成送信プログラム３９ｈと、特定文字列メモリ３９ｉと、履歴メモリ３９ｊと、管理者情報メモリ３９ｋとが備えられている。印刷データ作成送信プログラム３９ｈは、図１２に示す印刷データ作成送信処理を実行させるプログラムである。尚、特定文字列メモリ３９ｉと、履歴メモリ３９ｊと、管理者情報メモリ３９ｋとに記憶されているデータは、上述した実施形態と同様なので、その説明は省略する。
【００９３】
次に、図１２のフローチャートを参照して、ＰＣ３５のＣＰＵ３６で実行される印刷データ生成送信処理について説明する。図１２は、印刷データ生成送信処理のフローチャートである。この印刷データ生成送信処理は、第１，第２の実施形態で説明したのと同様に、ユーザがアプリケーション３９ｂを使って作成した画像を複合機１を使って記録媒体に印刷させるための印刷データを生成し、その印刷データを複合機１に送信する処理であり、ユーザからアプリケーション３９ｂを介して印刷指令があった場合に実行される。
【００９４】
この処理では、アプリケーション３９ｂを使って作成した画像（記録媒体に印刷される画像）を示す画像ファイルに文字列（テキストデータ）が含まれているかを判断する（Ｓ１２０１）。文字列が含まれていれば（Ｓ１２０１：Ｙｅｓ）、画像ファイルに含まれている全ての文字列を抽出し、文字ファイルを作成する（Ｓ１２０２）し、その文字ファイルをサーバ５０に送信する（Ｓ１２０３）。  尚、サーバ５０は、ＰＣ３５から文字ファイルを取得すると、図１０に示す特定文字列判定処理と同様に、その文字ファイルに特定の文字列が含まれるかを照合し、その照合結果と、一致した文字列とを、ＰＣ３５に送信する。
【００９５】
よって、ＰＣ３５では、サーバ５０から送信される照合結果を受信するまで待機し（Ｓ１２０４：Ｎｏ）、サーバ５０から照合結果を受信した場合には（Ｓ１２０４：Ｙｅｓ）、その照合結果が一致か否か判断する（Ｓ１２０５）。
【００９６】
そして、照合結果が一致している、即ち、文字ファイルに特定の文字列が含まれていることを示す場合には（Ｓ１２０５：Ｙｅｓ）、その一致した文字列を含む頁を画像ファイルから特定し（Ｓ１２０６）、図６のＳ６０６で説明した印刷制限処理と同様の印刷制限処理を実行する（Ｓ１２０７）。
【００９７】
この印刷制御処理によって作成された印刷データは、複合機１に送信され、複合機１は、この印刷データに従って印刷を実行するので、結果的に、第１の実施形態と同様に印刷を制限することができる。
【００９８】
そして、印刷制限処理を行った場合には、印刷データを履歴メモリ３９ｊに記憶し（Ｓ１２０８）、更に、複合機１の管理者に印刷制限処理が実行された旨を通知した後（Ｓ１２０９）、Ｓ１２０７の印刷制限処理において作成された印刷データを複合機１に送信して（Ｓ１２１０）、本処理を終了する。
【００９９】
一方、Ｓ１２０５の処理において、画像ファイルに文字列が含まれていないと判断した場合（Ｓ１２０５：Ｎｏ）、Ｓ１２０２で作成した文字ファイルを削除し（Ｓ１２１１）、画像データを複合機１によって読み取り可能な形式に変換した印刷データを作成し（Ｓ１２１２）、Ｓ１２１０の処理に移行する。また、Ｓ１２０１の処理において、画像データに文字列が含まれていない場合には、Ｓ１２１０の処理に移行する。
【０１００】
この第４の実施形態によれば、上述した第１の実施形態と同様な効果を奏することができる上、一連の処理をＰＣ３５だけで実行させることができるので、画像記録システム１０１における複合機１の処理負担を軽減することができると共に、プログラムの汎用性を向上させることができる。また、サーバ５０の特定文字列メモリ５４ｂに特定文字列を記憶させると共に、サーバ５０において、文字ファイルに含まれる文字列に特定文字列と合致する文字列が含まれているかを判断しているので、複合機１と、ＰＣ３５とのメモリ容量を有効に使用することができると共に、複合機１と、ＰＣ３５との処理負担を軽減することができる。
【０１０１】
以上、実施の形態に基づき本発明を説明したが、本発明は上述した実施の形態に何ら限定されるものではなく、本発明の趣旨を逸脱しない範囲内で種々の改良変更が可能であることは容易に推察できるものである。
【０１０２】
例えば、上述した実施の形態では、印刷制限処理として、特定文字列と合致する文字列が含まれる頁の印刷を中止したり、その頁の印刷条件を変更して印刷させる場合について説明したが、かかる印刷制限処理としては、特定文字列と合致する文字列が含まれる頁だけでなく、全頁の印刷を中止したり、全頁の印刷条件を変更して印刷させるようにしても良い。かかる場合には、一層、無駄に、インクや記録媒体が消費されるのを抑制することができる。さらに、ＰＣ側で文字列の判断を行う場合は、ネットワーク負荷の軽減も奏する。特に、全頁の印刷を中止する場合は、ネットワーク負荷を軽減できる。また、印刷制限処理について、どの方法にて印刷制限をするのかを、あらかじめ管理者などのユーザに設定させ、その設定内容に従って印刷制限を行ってもよい。
【図面の簡単な説明】
【０１０３】
【図１】複合機とＰＣとの外観斜視図である。
【図２】複合機とＰＣとの電気的構成を示すブロック図である。
【図３】印刷データ作成送信処理を示すフローチャートである。
【図４】印刷処理を示すフローチャートである。
【図５】複合機とＰＣとの電気的構成を示すブロック図である。
【図６】印刷データ作成送信処理を示すフローチャートである。
【図７】複合機とＰＣとサーバとの外観斜視図である。
【図８】複合機とＰＣとサーバとの電気的構成を示すブロック図である。
【図９】印刷処理を示すフローチャートである。
【図１０】特定文字列判定処理を示すフローチャートである。
【図１１】複合機とＰＣとサーバとの電気的構成を示すブロック図である。
【図１２】印刷データ作成送信処理を示すフローチャートである。
【図１３】画像データ、文字ファイル、特定文字列メモリに記憶された特定文字列の具体例である。
【符号の説明】
【０１０４】
１          複合機（画像記録装置）
２          プリンタ（記録手段）
２４ａ      特定文字列メモリ（記憶手段）
３９ｅ      特定文字列メモリ（記憶手段）
３９ｉ      特定文字列メモリ（記憶手段）
５４ｂ      特定文字列メモリ（記憶手段）
３５        ＰＣ（情報処理装置）
１００      画像記録システム
１０１      画像記録システム
Ｓ３０２    生成手段
Ｓ３０４    生成手段
Ｓ４０１    取得手段
Ｓ４０３    判断手段
Ｓ４０４    判断手段
Ｓ４０６    制限手段
Ｓ４０５    特定手段
Ｓ４０８    通知手段
Ｓ６０２    生成手段
Ｓ６０３    判断手段
Ｓ６０４    判断手段
Ｓ６０５    特定手段
Ｓ６０６    制限手段
Ｓ６０８    通知手段
Ｓ９０１    取得手段
Ｓ９０６    特定手段
Ｓ９０７    制限手段
Ｓ９０９    通知手段
Ｓ１００２  判断手段
Ｓ１００３  判断手段
Ｓ１２０２  生成手段
Ｓ１２０６  特定手段
Ｓ１２０７  制限手段
Ｓ１２０９  通知手段
【図１】
2008141442.tif 000003
【図２】
2008141442.tif 000004
【図３】
2008141442.tif 000005
【図４】
2008141442.tif 000006
【図５】
2008141442.tif 000007
【図６】
2008141442.tif 000008
【図７】
2008141442.tif 000009
【図８】
2008141442.tif 000010
【図９】
2008141442.tif 000011
【図１０】
2008141442.tif 000012
【図１１】
2008141442.tif 000013
【図１２】
2008141442.tif 000014
【図１３】
2008141442.tif 000015